(57)【要約】シリンダーシェル（１４０）と、このシェル（１４０）に回転自在に取り付けられたキープラグ（１３０）と、キープラグに形成された長手方向に延びたキースロット（１００）と、錠中に挿入されるキーと協働する少なくとも１つの施錠タンブラーアセンブリとからなる、安全性の高いシリンダー錠（１）とキー（２）の組み合わせ。施錠タンブラーアセンブリは、一対の互いに独立して移動可能なタンブラーセグメント（１１３，１１４）からなり、これらセグメントは共通のキャビティー内で異なる上昇位置を取ることができる。
2005515336.tif 000002
【特許請求の範囲】
【請求項１】
シリンダーシェル（１４０）と、
−前記シェルに回転自在に取り付けられたキープラグ（１３０）と、
−側面（２０１）に長手方向に延びたコード化された表面（２０３）を有するキーブレード（２００）を受け取るための、キープラグの回転軸に対して平行に前記キープラグに沿って長手方向に延びたキースロット（１００）と、
−前記キースロット内に挿入される適切に形成されたキーブレードの前記コード化された表面（２０３）と係合するように前記キースロット内に到達する接触部（１１５）を有するタンブラーセグメント（１１３）を有する少なくとも一つの施錠タンブラーアセンブリ（１１０）と、
−前記キープラグ（１３０）の前記キースロット（１００）の横手方向に延びる側に位置し、対応する前記少なくとも一つのタンブラーアセンブリを収容し、キャビティー内でのタンブラーアセンブリの昇降移動を案内する、少なくとも一つのキャビティー（１２０）とからなり、
−少なくとも一つの施錠タンブラーアセンブリ（１１０）が、同じキャビティー内に収容される隣接する一対のタンブラーセグメント（１１３，１１４）からなり、
−各タンブラーセグメント（１１３，１１４）が、キースロット（１００）内に到達する対応する接触部（１１５，１１６）を有している、
シリンダー錠（１）及びキー（２）の組み合わせにおいて、
−前記対の前記隣接するタンブラーセグメント（１１３，１１４）が、それぞれの上昇位置に個別に移動するために、前記キャビティー内で互いに独立して昇降移動し、
−前記対の前記対応する接触部（１１５，１１６）が、キープラグの長手方向に、タンブラーアセンブリが軸を対称にして分割されることによって分割され、これら分割された接触部は、前記キースロット（１００）内に前記キーブレード（２００）を挿入した際、前記コード化された表面（２０３）と係合している時、特定の上昇位置に及び通常は異なる高さにそれぞれ位置する、
ことを特徴とする、シリンダー錠及びキーの組み合わせ。
【請求項２】
前記一対の隣接するタンブラーセグメント（１１３，１１４）の各セグメントが、前記キャビティー（１２０）の対応部に案内されることを特徴とする、請求項１記載のシリンダー錠及びキーの組み合わせ。
【請求項３】
前記一対の隣接するタンブラーセグメント（１１３，１１４）が、互いに補足する断面形状を有し、互いに合わせられると前記キャビティー（１２０）の断面と実質的に一致することを特徴とする、請求項２記載のシリンダー錠及びキーの組み合わせ。
【請求項４】
前記一対の前記隣接するタンブラーセグメント（１１３，１１４）の一部が、前記キャビティー（１２０）の壁部によって案内される一部円筒状の表面部であることを特徴とする、請求項３記載のシリンダー錠及びキーの組み合わせ。
【請求項５】
前記一対の前記隣接するタンブラーセグメントが、互いに滑動して係合する、互いに係合する表面部（１１３ａ，１１４ａ）を有することを特徴とする、請求項３記載のシリンダー錠及びキーの組み合わせ。
【請求項６】
前記互いに係合する表面（１１３ａ，１１４ａ）が、実質的に平面であることを特徴とする、請求項５記載のシリンダー錠及びキーの組み合わせ。
【請求項７】
前記キープラグ（１３０）が、１列に配された複数のキャビティー（１２０）を含み、少なくともこれらキャビティーのうちの一つが、一対の隣接するタンブラーセグメント（１１３，１１４）を収容する事を特徴とする、先行請求項のうちいずれか一項記載のシリンダー錠及びキーの組み合わせ。
【請求項８】
前記キープラグ（１３０）が、前記キースロットのいずれかの側に、施錠タンブラーアセンブリ（１１０）の少なくとも１つを含むことを特徴とする、先行請求項のうちいずれか一項記載のシリンダー錠及びキーの組み合わせ。
【請求項９】
前記一対の隣接するタンブラーセグメント（１１３，１１４）が、前記シリンダーシェル（１４０）内の長手方向に延びる収容部（１５１）に収容されているサイドバー（１５０）と協働し、前記サイドバー（１５０）は、通常では前記シェル内でキープラグを回転しないよう係止するように構成されており、さらに、前記キースロット（１００）に適切にコード化されたキーブレード（２００）を挿入した際、開放位置に移動するように構成されていることを特徴とする、先行請求項のうちいずれか一項記載のシリンダー錠及びキーの組み合わせ。
【請求項１０】
前記タンブラーセグメント（１１３，１１４）の前記接触部が、外方に突出した指状突起（１１５，１１６）によって構成されていることを特徴とする、先行請求項のうちいずれか一項記載のシリンダー錠及びキーの組み合わせ。
【請求項１１】
前記指状突起（１１５，１１６）が、前記キースロットに前記キーブレードを挿入した際、前記キーブレードの側面の長手方向に延びたコード化された溝（２０２）に確実に案内されることを特徴とする、請求項１０記載のシリンダー錠及びキーの組み合わせ。
【請求項１２】
先行請求項のうちいずれか一項記載の錠とキーの組み合わせにおけるシリンダー錠の一部を形成しているキープラグ（１３０）のキャビティー（１２０）に収容される少なくとも一対の独立して動くタンブラーセグメント（１１３，１１４）を有している、シリンダー錠（１）。
【請求項１３】
請求項１２に記載されている錠の一対の隣接するタンブラーセグメントの対応する接触部と協働するために、特定の上昇位置及び通常は異なる高さにそれぞれ位置した少なくとも一対の隣接するコード表面部（２０４，２０５）を有した長手方向に延びたコード化された表面（２０３）を、その側面において有している、キーブレード（２００）。
【請求項１４】
前記コード化された表面（２０３）が、キーブレードが錠に挿入された時、外方に突出した指状突起により形成された前記各接触部を確実に案内する長手方向に延びた溝（２０２）の側壁によって形成されることを特徴とする、請求項１３記載のキーブレード。
【請求項１５】
前記キーブレード（２００）の各側に対称となるように長手方向にコード化された表面を有することを特徴とする、請求項１３又は１４記載のキーブレード。
【請求項１６】
前記コード化された表面（２０３）が、隣接するコード表面部の複数の対（２０４，２０５）の長手方向に延びた列からなる事を特徴とする、請求項１３から１５のうちいずれか一項記載のキーブレード。
【請求項１７】
側面に形成されたコード表面を有した長手方向に延びたキーブレードからなり，前記コード表面が、少なくとも１つの未加工部を有し、その未加工部を切削することによって、請求項１２に記載されている錠の一対の隣接するタンブラーセグメントの各接触部と協働する一対の隣接するコード表面部（２０４，２０５）が形成される、請求項１３から１６のうちいずれか一項記載のキーブレードを製造するためのキーブランク。
【請求項１８】
コード表面（２０３）がアンダーカットされることを特徴とする、請求項１７記載のキーブランク。
【発明の詳細な説明】
【技術分野】
【０００１】
本発明は、シリンダー錠とキーの組み合わせに関し、当該組み合わせは、シリンダーシェルと、そのシリンダーシェル内に回転自在に取り付けられたキープラグと、側面に長手方向に延びたコード化された表面を有するキーブレードを受け取るための、キープラグの回転軸に対して平行にキープラグに沿って長手方向に延びたキースロットと、そのキースロット内へのキーブレードの挿入時に適切に形成されたキーブレードのそのコード化された表面と係合するようにキースロット内に到達する接触部を有するタンブラーセグメントを有する少なくとも一つの施錠タンブラーアセンブリと、そのキープラグのそのキースロットの横手方向に延びる側に位置する少なくとも一つのキャビティーとからなり、そのキャビティーは、対応する少なくとも一つのタンブラーアセンブリを収容し、キャビティー内でのタンブラーアセンブリの昇降移動を案内する。
【背景技術】
【０００２】
このような錠は、下記特許文献１，２，３，４からすでに知られている（これら特許文献の出願人は全てWidenである）。これらの参考文献に開示されている錠において、各タンブラーアセンブリは、タンブラーから異なる角度方向か又は位置で外方に突出した指状突起部を有しており、これら指状突起の外方端部（接触部）の長手方向の配置は、長手方向、すなわちキースロットに対して平行な方向において、施錠タンブラーの通常の配置と異なる。
【特許文献１】米国特許文献  US 4,756,177
【特許文献２】米国特許文献  US 4,815,307
【特許文献３】米国特許文献  US 5,067,335
【特許文献４】米国特許文献  US 5,640,865
【０００３】
このようにして、コードの組み合わせの数を非常に多くすることができる。各タンブラーアセンブリは、対応するキャビティー内で昇降可能であり、さらにキースロットに沿った長手方向における接触部の特定の位置によってさらにコード化の可能性を広げることができる。
【０００４】
これらの公知の錠は、非常に多くのコードの組み合わせを提供し、さらにまたピッキングに対して高い安全性を提供する。
【発明の開示】
【発明が解決しようとする課題】
【０００５】
本発明の目的は、公知の錠と少なくとも同等な多くのコードの組み合わせを持ち、且つピッキングに対してさらに高い安全性を提供する施錠機構を有する、前述の種類の安全性の高い錠とキーの組み合わせを提供することである。
【課題を解決するための手段】
【０００６】
本発明では、この目的は、錠の少なくとも一つの施錠タンブラーアセンブリが、同じキャビティー内に収容される隣接する一対のタンブラーセグメントからなり、各タンブラーセグメントがキースロット内に到達する接触部（必ずしも指状である必要はない）を有する、前述の種類の錠によって達成される。前述の対の隣接するタンブラーセグメントは、互いに独立して昇降移動するようにキャビティー内に案内される。対の隣接するタンブラーセグメントは、キースロットにキーブレードを挿入した際、コード化された表面によって接触部において係合している間、それぞれの上昇位置に個別に移動する。また、その対のタンブラーセグメントに対応する接触部は、これら接触部が、キースロット内にキーブレードを挿入した際、コード化された表面によって係合している時、特定の上昇位置に及び通常は異なる高さに位置するようにキープラグの長手方向に、タンブラーアセンブリが軸を対称に分割されることによって分割される。
【０００７】
下記特許文献５には、各タンブラーアセンブリが一対の隣接したタンブラーセグメントからなる、同様の錠及びキーシステムについて開示されている。しかしながら、一対のこれらセグメントは、互いに反対方向に２つのセグメントに分割するように作用するスプリングによって互いが結合している。したがって２つのセグメントは動きが制限されている。また、対の対応する接触部は、互いに近接して位置している。従って、キーブレードのコード化された表面と適切に協働するために、接触部はほぼ同じ高さに位置しなければならない。
【特許文献５】米国特許文献  US2,155,734
【０００８】
対照的に、本発明の錠では、対の２つのタンブラーセグメントが多くの異なる相対的な位置に位置させることができる。１つのタンブラーセグメントの各上昇位置に対して、もう一方のタンブラーセグメントは様々な位置に位置させることができる。従って、コードの組み合わせの総数は非常に多くなる。さらに、対の接触部が互いに相対的に近くに位置しているので、それらが互いに軸方向に分割されても、一つの接触部を、もう一方を移動させること無く操作することは難しい。従って、錠はピッキングに対し非常に高い安全性を有する。
【０００９】
多くの異なる態様が、添付の従属請求項に記載しているように、本発明の一般的な概念の範囲内で可能である。
【００１０】
本発明はまたキーブレード及び対応するキーブランク（及び未加工の状態のキーブレード）に関し、このキーブレードは、その側面において、上述の錠の一対の隣接するタンブラーセグメントの各々の接触部と協働するための少なくとも一対の隣接するコード表面部を有する長手方向に延びたコード化された表面を有する（又は、キーブランクにおいては、隣接するコード表面部の一対を切削するための少なくとも一つの未加工部を有する）。
【００１１】
本発明をさらに、発明のいくつかの好ましい態様を図示する以下の添付図を参照して説明する。
【００１２】
図１に示す錠とキーの組み合わせは、シリンダーロック１及び錠のキースロット１００に挿入可能なキーブレード２００を有するキー２を含む。キーブレード２００の輪郭は、図５に横断面として示され、通常、キースロット１００の輪郭に対応する。
【００１３】
シリンダー錠は、上述の米国特許文献に記載のものと類似の種類のものであるが、図１中に点線で示されるようにタンブラーが中心に位置しておらず、１つのタンブラーアセンブリ１１０（図２及び３も参照）だけの簡略版である。タンブラーアセンブリ１１０は、図４及び５に明確に示すように、キースロット１００の横側に位置する。タンブラーアセンブリ１１０は、円筒状シェル１４０内の円筒状収容部１４１内で回転自在である円筒状キープラグ１３０内に位置するキャビティー１２０に案内される。
【００１４】
施錠機能、すなわち円筒状シェル１４０内でのキープラグ１３０の回転に対する係止は、フェンス部材又はサイドバー１５０によって行われる。図１に図示するように、サイドバー１５０は、円筒状シェル内に長手方向に伸びる収容部１５１（図５）内に嵌合するように、半径方向外方に向かってバネによって荷重がかけられている。サイドバー１５０は、タンブラーアセンブリ１１０が、サイドバー１５０を相互に整列した凹部１１１，１１２中に嵌合することができる、キープラグに適切にコード化されたキーブレードが挿入されるような方法で、適切な場所に置かれない限り、施錠位置（図４）に保たれている。図２に図示する位置では、しかしながら、これら凹部１１１，１１２は整列しておらず、従ってサイドバー１５０はキープラグの回転を妨げる位置（図４）から動くことができない。
【００１５】
本発明では、タンブラーアセンブリ１１０は、一対の隣り合ったタンブラーセグメント１１３，１１４からなり（図３を参照）、それらは、同じキャビティー内に案内されるが、その中で互いに独立して昇降可能である。これら２つのタンブラーセグメント１１３，１１４が別個に動くことができるので、凹部１１１，１１２が相互に整列するようにこれらタンブラーセグメントを個別に移動させることができる。そのように整列した際に、図５に示すように、サイドバー１１５が、整列した凹部１１１，１１２中に導かれる。従って、凹部１１１，１１２の整列した際に、サイドバー１５０は、キープラグ１３０に回転させる力を加えることによって、この開放位置に動かすことができる。サイドバー１５０は、バネ１５２の作用に対抗して半径方向内方に向かって強制的に動かされる。
【００１６】
２つのタンブラーセグメント１１３，１１４は、好ましくは、キャビティー１２０の各々の部分を占有するための、及びキャビティーの中心軸に対して傾斜又は回転しないように確実にこのキャビティー内に案内されるよう、互いに補足する断面形状を有する。本態様において、キャビティー１２０は円筒状であり、タンブラーセグメント１１３，１１４は、キャビティー１２０の円筒状の壁によって案内される一部円筒状の表面を有する。対の２つのタンブラーセグメント１１３，１１４はまた、相互に接触する表面部１１３ａ，１１４ａを有し、そこで相互に滑動する。図示する態様において、これら相互に接触する表面部は平面であるが、接触して滑らせるようなどのような他の幾何学的な形状であっても良い。また、キャビティーは、いくつかの他の横断面形状、例えば矩形であっても良く、タンブラーセグメントは、確実にキャビティー内へ良好に案内するような形状に適合させても良い。
【００１７】
施錠タンブラーアセンブリ１１０の分割タンブラーセグメント１１３，１１４は、実質的にはキーブレードの平面側の表面２０１において、溝２０２に長手方向に延びるコード化された表面２０３を有したキーブレード２００によって動かされる。溝２０２は、底部壁及び上下側壁とを有する。下方側壁２０３は、本態様では２つの隣り合うコード表面部２０４，２０５を含む、波状にコード化された表面を形成する。これらコード表面部２０４，２０５は、各タンブラーセグメント１１３，１１４上で、外方へ突出している指状突起１１５，１１６の形をした、各々の接触部を受けるために設計されている。図示する態様において、各接触部又は指状突起は、相対的に広い基部１１５ａ，１１６ａをそれぞれ有し、さらに相対的に狭く、実質的には円筒状の自由端部１１５ｂ，１１６ｂをそれぞれ有する。キーブレード２００が錠１のキースロット１００に挿入されたとき、指状突起１１５，１１６は、溝２０２に確実に案内される。完全に挿入された位置では、指状突起１１５，１１６は、隣り合うコード表面部２０４，２０５に位置し、これによって、凹部１１１，１１２が整列させられ、サイドバー１５０がキープラグ１３０への回転させるトルクを加えた際、これら凹部に移動させられ、その結果キープラグ１３０は図５に示すようにキー２を回すことによって回転させることができる。
【００１８】
図示する態様において、長手方向に延びる溝２０２は、指状突起１１５，１１６のそれぞれを確実に案内できるよう実質的に平行な上下側壁を有する。これとは別に、溝２０２は、それぞれの指状突起の端部１１５ｂ，１１６ｂの直径よりもかなり広く形成しても良い。後者の場合、指状突起は好ましくは、下部のコード化された側壁２０３及びコード化された表面部２０４，２０５とスライドさせて係合するように、バネにより力を加える（図８及び９参照）。
【００１９】
図６に示すような、錠とキーの組み合わせの第二の態様において、キーブレード２００'（図６ｂ）は、両側に溝２０２'が供されている。これらの溝は所望であればアンダーカットしても良い（図１１，１２参照）。
【００２０】
図６ａの錠には、キープラグ１３０内の中央のキースロット１００の各横側にキャビティー１２０，１２１がある。キャビティ１２０，１２１にはそれぞれ、図２及び３に示した種類の２つの独立して移動するタンブラーセグメント１１３，１１４からなるタンブラーアセンブリ１１０が配されている。各タンブラーアセンブリ１１０は、上述した方法で、サイドバー１５０と協働する。
【００２１】
図６ａの態様において、キーブレード２００'（図６ｂ）は、対称であり、従って、それは上下逆にしても、キースロット１００とそれぞれのタンブラーアセンブリ１１０の指状突起１１５，１１６が協働して適切に機能することができる。
【００２２】
図７に図示するように、錠は、長手方向に並んだタンブラーアセンブリ１１０（一列に５つ）を有しても良く、この場合、各タンブラーアセンブリが、対応した接触部又は指状突起１１５，１１６を持つ独立して移動する一対のタンブラーセグメント１１３，１１４を有している。キーブレード２００を錠に挿入したとき、全ての指状突起１１５，１１６が、この場合、特定のコードレベルにそれぞれ位置している１０個の異なるコード表面部を持つ長手方向に延びたコード化された溝２０２によって確実に案内される。これらのコード表面部２０４，２０５は、５つの組に分類され、おのおの２つの隣接するコード表面部２０４，２０５からなる。コード表面部２０４の特定のレベル（高さ）に対し、隣接するコード表面部２０５は、少なくとも２つ、又は３つ、４つ、５つ、若しくはさらにそれ以上の数の異なるレベルに位置しても良い。従って、コードの組み合わせの総数は膨大な数になる。もちろん、コードの組み合わせの総数は、図７の符号２０６に示すようにキーブレード２００の長手方向の頂縁部面に通常のコードパターンを供することによってもまた、実質的に増加させても良い。タンブラーアセンブリ１１０を長手方向に並べた本第三の態様でさえ、錠のキースロットの各横側にそのような（図６ａに示す態様と同様の）列があっても良い。
【００２３】
上述したように、各タンブラーセグメント１１３，１１４は、図８及び９に示すように、各タンブラーセグメント１１３，１１４の頂端部の穴１１８に収容したらせん状のバネ１１７によって、バネにより力を加えても良い。図９では、キースロット１００内で中央タンブラー１３１（そのタンブラーの長手方向の列のうちの１つ）がキーブレード２００の縁部のコード化された切れ目又はくぼみ２０６と協働するように示されている。
【００２４】
図１０に示す部分縦断面においては、各タンブラーセグメント１１３，１１４及びそれに対応する幅の広い指状基盤基部１１５ａ，１１６ａ及びキーブレード２００は露出している。キープラグ１３０がシリンダーシェル１４０内で回転しないように係止するために、対応するタンブラーセグメント１１３，１１４と接触を保ち且つその動きに対応する、上部タンブラー又はピン１１３'（図示せず）及び１１４'を用いることが可能である（図１１及び１２参照）。図１２に示すような特定の上昇位置において、タンブラーセグメント１１４及びそれに対応する上部ピン１１４'の係合面がシャーライン（shear line）に位置し、それによってキープラグ１３０をシェル１４０内において回転させることができる。
【００２５】
本第四の態様において、キーブレード２００は、アンダーカットされた溝２０２''を有し、この溝はこれに嵌合する下方に突出した部分１３３を有する対応する輪郭の舌部１３２と協働する。
【００２６】
上述の全ての態様及び変型例において、一対のタンブラーセグメント１１３，１１４からなる少なくとも１つのタンブラーアセンブリ１１０が配されており、一対のそれらタンブラーセグメントは、キーブレード２００が錠に挿入された時、キーブレードのコード化された溝２０２が（それと対応した接触部又は指状突起と）係合し、互いが独立して上昇可能である。従って、上述したように、非常に多数のコードの組み合わせが得られ、錠はピッキングに対し非常に高い安全性を有する。
【００２７】
更なる変型例は、特許請求の範囲の範囲内で可能である。タンブラーセグメント１１３，１１４は、２つの互いに係合する実質的に平坦な表面１１３ａ，１１４ａ（図３）を有し、実質的に半円筒状に例示している。もちろん、２つのタンブラーセグメントが対応するキャビティー１２０に適切に案内され、キーブレードのコード化された表面が、接触部又は指状突起と係合している間、互いに独立して動くことが可能である限り、他の幾何学的な形状に形成することもまた可能である。
【００２８】
キーブレードには、様々な種類のタンブラー構造に対応するコード化された刻み目及び／又はくぼみを他の表面上に設けることが可能であり、例えばこれらコード化された刻み目及び／又はくぼみは、図６ａの中央に位置するピンタンブラー（図示せず）と協働する図６ｂのキーブレードの各縁部上に形成したコード化されたくぼみであっても良い。
【００２９】
溝２０２の代わりに、コード化された表面を、キーブレードの最も幅の広い基部とその上方に位置する幅の狭い部分との間で段を形成する表面に形成しても良い。
【００３０】
外方に突出した指状突起１１５，１１６は、そのタンブラーの端部に位置する必要はなく、タンブラーの両端部の間のどこに位置しても良い。そのような態様を図１４，１５及び１６に示す。この態様では、タンブラーセグメント１１４は、キープラグ１３０に対応する長さ（又は高さ）を有する。キャビティー１２０は、シェル１４０内の対応する円筒状キャビティーと隣接している。タンブラーセグメント１１４は、図１５に示す位置に正確に位置しない限り、回転に対してキープラグを係止する。従って、タンブラーセグメント１１４が、図１５に示す位置に正確に位置すれば、キープラグは、キーブレード２００を回すことによって回転させることができる。
【００３１】
さらに、タンブラーセグメント１１３，１１４の接触部は、指状に形成する必要はなく、キーブレードのコード化された表面と係合できるように接触部がキースロット内に届く限りは、他のどのような幾何学的形状であっても良い。また、接触部は外方に横向きに突出する必要はない。接触部はそれ自身が（円筒状の）タンブラーセグメントの一部を形成してさえも良い。
【００３２】
上述したように、キャビティーは、楕円形、矩形又は多角形のような異なる断面形状を有していても良く、２つのタンブラーセグメントは、従ってそのような形状に適合させなくてはならない。
【００３３】
キャビティー（及びタンブラー部の昇降移動方向）は、キースロットの中央面に対し、どのような角度（0−90度）を有していても良い。
【００３４】
さらに、特許請求の範囲に記載された施錠機構は、同様の錠において、他の施錠機構と組み合わせても良い。本発明による一つの施錠機構を、キースロットの一方の側部に配しても良く、さらに別の機構を、キースロットの他方の側部に配しても良く、この場合、この別の機構は本発明のものであっても良い。上述したように、従来の施錠タンブラーピンをまた、キースロットの上方で中心に位置するように配しても良い。
【００３５】
本発明の最も実用的な態様（操作の信頼性だけでなく、製造及び許容度の観点から）において、各施錠タンブラーアセンブリが一対のタンブラーセグメントからなることが好ましい一方、それらの間に中間の又は第三のタンブラーセグメントを加えることが考えられる。
【図面の簡単な説明】
【００３６】
【図１】本発明による第一のシリンダー錠とキーの組み合わせの斜視図を示し、この態様では、タンブラーアセンブリを一つだけ有している幾分簡単な態様であり、より判り易くするためにシリンダーシェルの一部を切り欠いて示している。
【図２】図１の錠の中に含まれたタンブラーアセンブリの拡大図。
【図３】２つに分割した図２のタンブラーアセンブリを示す。
【図４】図１の錠の横断面図。
【図５】図４に対応する横断面を示し、ここでは錠のキープラグが、挿入したキーによって回転した状態に示されている。
【図６ａ】２つのタンブラーアセンブリを有した錠の第二の態様の横断面を示し、ここではキースロットの各側に１つずつ配されている状態を示している。
【図６ｂ】図６ａの錠に対応するキーブレードの横断面図。
【図７】錠とキーブレードの第三の態様の略図を示し、ここでは５つのタンブラーアセンブリが一列に並んで配されている（錠の残りの部分は示していない。）。
【図８】変更された態様のタンブラーアセンブリを示す（バネ押し式のタンブラーセグメントを含む。）。
【図９】図８に示すようなタンブラーアセンブリを含む錠の横断面図。
【図１０】図７の錠とキーブレードの縦断面図。
【図１１】本発明による錠の第四の態様の横断面図。
【図１２】図１１に対応する横断面を示し、ここではキープラグが、挿入したキーブレードによって回転した状態に示されている。
【図１３】図１１の錠に含まれるタンブラーアセンブリを別に示す。
【図１４】本発明による錠の第五の態様の横断面図。
【図１５】図１４に対応する横断面を示し、ここでは挿入されたキーブレードによって錠のキープラグが回転した状態に示されている。
【図１６】図１４及び１５の錠中に含まれるタンブラーアセンブリを別に示す。
【符号の説明】
【００３７】
１…………………………シリンダー錠
２…………………………キー
１００……………………キースロット
１１０……………………タンブラーアセンブリ
１１１，１１２…………凹部
１１３，１１４…………タンブラーセグメント
１１３ａ，１１４ａ……互いに係合する表面部
１１５，１１６…………指状突起
１２０，１２１…………キャビティー
１３０……………………キープラグ
１４０……………………シリンダーシェル
１５０……………………サイドバー
１５１……………………収容部
２００……………………キーブレード
２０１……………………側面
２０２……………………溝
２０３……………………コード化された表面
２０４，２０５…………コード表面部
【図１】
2005515336.tif 000003
【図２】
2005515336.tif 000004
【図３】
2005515336.tif 000005
【図４】
2005515336.tif 000006
【図５】
2005515336.tif 000007
【図６ａ】
2005515336.tif 000008
【図６ｂ】
2005515336.tif 000009
【図７】
2005515336.tif 000010
【図８】
2005515336.tif 000011
【図９】
2005515336.tif 000012
【図１０】
2005515336.tif 000013
【図１１】
2005515336.tif 000014
【図１２】
2005515336.tif 000015
【図１３】
2005515336.tif 000016
【図１４】
2005515336.tif 000017
【図１５】
2005515336.tif 000018
【図１６】
2005515336.tif 000019
【手続補正書】
【提出日】平成16年3月31日(2004.3.31)
【手続補正１】
【補正対象書類名】特許請求の範囲
【補正対象項目名】全文
【補正方法】変更
【補正の内容】
【特許請求の範囲】
【請求項１】
シリンダーシェル（１４０）と、
−前記シェルに回転自在に取り付けられたキープラグ（１３０）と、
−側面（２０１）に長手方向に延びるコード化された表面（２０３）を形成する側壁（２０３）を有する長手方向に延びる溝（２０２）を有するキーブレード（２００）を受け取るための、キープラグの回転軸に対して平行に前記キープラグに沿って長手方向に延びたキースロット（１００）と、
−前記キースロット内に挿入される適切に形成されたキーブレードの前記コード化された表面（２０３）と係合するように前記キースロット内に到達する接触部（１１５）を有するタンブラーセグメント（１１３）を有する少なくとも一つの施錠タンブラーアセンブリ（１１０）と、
−前記キープラグ（１３０）の前記キースロット（１００）の横手方向に延びる側に位置し、対応する前記少なくとも一つのタンブラーアセンブリを収容し、キャビティー内でのタンブラーアセンブリの昇降運動を案内する、少なくとも一つのキャビティー（１２０）とからなり、
−少なくとも一つの施錠タンブラーアセンブリ（１１０）が、同じキャビティー内に収容される隣接する一対のタンブラーセグメント（１１３，１１４）からなり、
−各タンブラーセグメント（１１３，１１４）が、キースロット（１００）内に到達する対応する接触部（１１５，１１６）を有している、
シリンダー錠（１）及びキー（２）の組み合わせにおいて、
−前記対の前記隣接するタンブラーセグメント（１１３，１１４）が、それぞれの上昇位置に個別に移動するために、前記キャビティー内で互いに独立して昇降移動し、
−前記対の前記対応する接触部（１１５，１１６）が、キープラグの長手方向に、タンブラーアセンブリが軸を対称にして分割されることによって分割され、
これら分割された接触部は、互いに長手方向に距離を置いて位置し、前記キースロット（１００）内に前記キーブレード（２００）を挿入した際、前記コード化された表面（２０３）と係合している時、特定の上昇位置に及び通常は異なる高さにそれぞれ位置し、これによって各対のタンブラーセグメント（１１３，１１４）は、異なるコードを表わす互いに異なる多くの位置に移動することができる、
ことを特徴とする、シリンダー錠及びキーの組み合わせ。
【請求項２】
前記一対の隣接するタンブラーセグメント（１１３，１１４）の各セグメントが、前記キャビティー（１２０）の対応部に案内されることを特徴とする、請求項１記載のシリンダー錠及びキーの組み合わせ。
【請求項３】
前記一対の隣接するタンブラーセグメント（１１３，１１４）が、互いに補足する断面形状を有し、互いに合わせられると前記キャビティー（１２０）の断面と実質的に一致することを特徴とする、請求項２記載のシリンダー錠及びキーの組み合わせ。
【請求項４】
前記一対の前記隣接するタンブラーセグメント（１１３，１１４）の一部が、前記キャビティー（１２０）の壁部によって案内される一部円筒状の表面部であることを特徴とする、請求項３記載のシリンダー錠及びキーの組み合わせ。
【請求項５】
前記一対の前記隣接するタンブラーセグメントが、互いに滑動して係合する、互いに係合する表面部（１１３ａ，１１４ａ）を有することを特徴とする、請求項３記載のシリンダー錠及びキーの組み合わせ。
【請求項６】
前記互いに係合する表面（１１３ａ，１１４ａ）が、実質的に平面であることを特徴とする、請求項５記載のシリンダー錠及びキーの組み合わせ。
【請求項７】
前記キープラグ（１３０）が、１列に配された複数のキャビティー（１２０）を含み、少なくともこれらキャビティーのうちの一つが、一対の隣接するタンブラーセグメント（１１３，１１４）を収容する事を特徴とする、先行請求項のうちいずれか一項記載のシリンダー錠及びキーの組み合わせ。
【請求項８】
前記キープラグ（１３０）が、前記キースロットのいずれかの側に、施錠タンブラーアセンブリ（１１０）の少なくとも１つを含むことを特徴とする、先行請求項のうちいずれか一項記載のシリンダー錠及びキーの組み合わせ。
【請求項９】
前記一対の隣接するタンブラーセグメント（１１３，１１４）が、前記シリンダーシェル（１４０）内の長手方向に延びる収容部（１５１）に収容されているサイドバー（１５０）と協働し、前記サイドバー（１５０）は、通常では前記シェル内でキープラグを回転しないよう係止するように構成されており、さらに、前記キースロット（１００）に適切にコード化されたキーブレード（２００）を挿入した際、開放位置に移動するように構成されていることを特徴とする、先行請求項のうちいずれか一項記載のシリンダー錠及びキーの組み合わせ。
【請求項１０】
前記タンブラーセグメント（１１３，１１４）の前記接触部が、外方に突出した指状突起（１１５，１１６）によって構成されていることを特徴とする、先行請求項のうちいずれか一項記載のシリンダー錠及びキーの組み合わせ。
【請求項１１】
前記指状突起（１１５，１１６）が、前記キースロットに前記キーブレードを挿入した際、前記長手方向に延びる溝（２０２）に確実に案内されることを特徴とする、請求項１０記載のシリンダー錠及びキーの組み合わせ。
【請求項１２】
先行請求項のうちいずれか一項記載の錠とキーの組み合わせにおけるシリンダー錠の一部を形成しているキープラグ（１３０）のキャビティー（１２０）に収容される少なくとも一対の独立して動くタンブラーセグメント（１１３，１１４）を有している、シリンダー錠（１）。
【請求項１３】
請求項１２に記載されている錠の一対の隣接するタンブラーセグメントの対応する接触部と協働するために、特定の上昇位置及び通常は異なる高さにそれぞれ位置した少なくとも一対の隣接するコード表面部（２０４，２０５）を有した長手方向に延びたコード化された表面（２０３）を形成する側壁（２０３）を有する長手方向に延びる溝（２０２）を有している、キーブレード（２００）。
【請求項１４】
前記長手方向に延びる溝（２０２）が、キーブレードが錠に挿入された時、外方に突出した指状突起により形成された前記各接触部を確実に案内することを特徴とする、請求項１３記載のキーブレード。
【請求項１５】
前記キーブレード（２００）の各側に対称となるように長手方向にコード化された表面を有することを特徴とする、請求項１３又は１４記載のキーブレード。
【請求項１６】
前記コード化された表面（２０３）が、隣接するコード表面部の複数の対（２０４，２０５）の長手方向に延びた列からなる事を特徴とする、請求項１３から１５のうちいずれか一項記載のキーブレード。
【請求項１７】
請求項１３から１６のうちいずれか一項記載のキーブレードを製造するためのキーブランクであって、前記キーブレードが、その側面に長手方向に延びるコード化された表面を有し、このコード化された表面（２０３）は、キーブレードの側部の少なくとも１つの未加工部を切削して形成され、請求項１２に記載されている錠の一対の隣接するタンブラーセグメントの各接触部と協働する一対の隣接するコード表面部（２０４，２０５）を有する。
【請求項１８】
コード表面（２０３）がアンダーカットされることを特徴とする、請求項１７記載のキーブランク。
【国際調査報告】
2005515336.tif 000020
2005515336.tif 000021
2005515336.tif 000022
2005515336.tif 000023